(57)【要約】【課題】白色系である錫を主な素材とし、銀白色の光沢と美麗さを具備したアクセサリー機能と共に、遠赤外線による健康増進効果、治療、治癒機能を備えた、装身具用錫合金及びこれを用いた装身具を提供することである。【解決手段】錫を主成分とし、ゲルマニウム、亜鉛及び銀の合金からなる、装身具用錫合金であって、錫の配分比を、全体重量の少なくとも７７重量％〜９９．９５重量％、好ましくは９３重量％とし、残部の配分比をゲルマニウム、亜鉛及び銀で配分されることを特徴とする、装身具用錫合金。【選択図】なし【特許請求の範囲】
【請求項１】
錫を主成分とし、ゲルマニウム、亜鉛及び銀の合金からなる、装身具用錫合金であって、
錫の配分比を、全体重量の少なくとも７７重量％〜９９．９５重量％、好ましくは９３重量％とし、残部の配分比をゲルマニウム、亜鉛及び銀で配分されることを特徴とする、装身具用錫合金。
【請求項２】
前記ゲルマニウムの配分比率が、全体重量の少なくとも０．０５％〜１０重量％、好ましくは０．５重量％であることを特徴とする、請求項１記載の装身具用錫合金。
【請求項３】
前記亜鉛の配分比率が、全体重量の少なくとも０．１重量％〜３重量％、好ましくは１．５重量％であることを特徴とする、請求項１及び請求項３記載の装身具用錫合金。
【請求項４】
前記銀の配分比率が、全体重量の少なくとも０．１重量％〜１０重量％、好ましくは５重量％であることを特徴とする、請求項１ないし請求項３記載の装身具用錫合金。
【請求項５】
錫を主成分とし、ゲルマニウム及び亜鉛の合金からなる、装身具用錫合金であって、
錫の配分比を、全体重量の少なくとも７０重量％〜９９．９５重量％、好ましくは９８重量％とし、残部の配分比をゲルマニウム及び亜鉛で配分されることを特徴とする、装身具用錫合金。
【請求項６】
前記ゲルマニウムの配分比率が、全体重量の少なくとも０．０５％〜１０重量％、好ましくは０．５重量％であることを特徴とする、請求項５記載の装身具用錫合金。
【請求項７】
前記亜鉛の配分比率が、全体重量の少なくとも０．１重量％〜３重量％、好ましくは１．５重量％であることを特徴とする、請求項５及び請求項６記載の装身具用錫合金。
【請求項８】
錫を主成分とした、ゲルマニウムとの合金からなる、装身具用錫合金であって、
錫の配分比を、全体重量の少なくとも７０重量％〜９９．９５重量％、好ましくは９９．５重量％とし、残部の配分比をゲルマニウムとしたことを特徴とする、装身具用錫合金。
【請求項９】
前記ゲルマニウムの配分比率は、全体重量の少なくとも０．０５％〜１０重量％、好ましくは０．５重量％であることを特徴とする、請求項８記載の装身具用錫合金。
【請求項１０】
前記ゲルマニウムは、錫、亜鉛及び銀と共に溶解することを特徴とする、請求項１ないし請求項９記載の装身具用錫合金。
【請求項１１】
前記装身具が、人体の各部位に直接又は間接的に、常時又は一時的に装着する、請求項１ないし請求項１０からなる装身具用錫合金で製作された、イヤリング、ピアス、ネック
レス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン、カフスボタン等の装身具及びつぼ押し兼用装身具。
【請求項１２】
前記装身具及びつぼ押し兼用装身具の一部に９９．９９９％のゲルマニウムが装着されると共に、装身具及びつぼ押し兼用装身具の一部又は全体表面部が、硬質樹脂体で被覆されていることを特徴とする、請求項１１記載の装身具。
【請求項１３】
前記硬質樹脂体が、エポキシ樹脂であることを特徴とする、請求項１１及び請求項１２記載の装身具。
【発明の詳細な説明】
【技術分野】
【０００１】
本発明は、錫を主な素材とし、銀白色の鮮やかな光沢を備えた、アクセサリー機能と、遠赤外線による健康増進効果、治療、治癒機能を備えた、装身具用錫合金及びこれを用いた装身具に関する。
【背景技術】
【０００２】
装身具の主な素材として、従来より、金又は銀が使用されているが、金は展延性が金属中最高で、その加工性は良好であり、貨幣、宝飾品、装身具等利用される分野は、多岐に亘る、世界的に金の生産量が極めて少量であるために、近年に至っては、その地金及び加工品は、資産として扱われ、金の価格は高騰している。そのため、金を用いた宝飾品、装身具等の素材としては各種の金属、例えば銀、銅、亜鉛等を含有させて、金含有率の低い金合金が製造されている。一般に、金含有率が５８．３重量％の１４金、金含有率が５０重量％の１２金、金含有率が４１．７重量％の１０金、金含有率が３７．５重量％の９金及び８金以下の各合金が知られ、これらの各金合金は、含有される銀、銅、亜鉛その他の金属含有率によって、金色の色調等に差異が生じ、金含有率が低くなるほど耐食性が劣り、時間の経過とともに硫化と酸化が進み、色調が変化するという不具合がある。
【０００３】
一方、装身具の主な素材としての銀は、金と比較して低価格ではあるが、金と同様に展延性に富み、電気及び熱伝導度が大で高温での耐酸化性に優れているので、種々の工業製品にも利用され、またその色は白色系で、古来より銀貨や、銀細工と称される宝飾品、装身具等の主要な素材として使用されている。しかし純銀は強度が小さくて、靱性に乏しく加工材の場合に経時的に軟化し、また亜硫酸ガス等により硫化するという化学的性質があるので、装身具用の素材としてそれらの欠点を除去するために、各種の金属を配合した多くの銀合金が種々提案されている。
【０００４】
例えば、特開昭６２−２０８５０の耐変色性銀合金には、美術工芸品や装身具等に使用される銀合金が開示されており、銀を基材としてゲルマニウムの他に亜鉛、カリウムあるいはボロン等を含んでいる。また銀を基材としてインジウムの他に、錫や亜鉛等を含んだものも開示されている。
【０００５】
また、特開昭６３−１４８３０の耐硫化性硬質銀合金は、腕時計や指輪、ペンダント、食器等に使用される銀合金が開示されており、銀を基材としてゲルマニウム、インジウムの他にプラチナ、錫、亜鉛等を含んでいる。
【０００６】
また、特開２０００−１９９０２０の装飾用銀合金は、銀と金との中間色としてピンク色の銀合金を得ることと、経時的な色変化の少ないものの提供を目的として、Ａｇ３５〜
４５重量％、Ｐｄ２〜６重量％、Ａｕ０．５〜６重量％、残部が不可避成分及びＣｕであることを特徴としている。
【０００７】
さらに、特開２０００−８７１５７は、加工性、鋳造性に優れ、また優美な色調を呈し、耐食性に富み、その色調を変色させることなく、長期にわたり維持することができる装飾品用銀合金を提供することを目的として、Ａｇ：３０〜５５重量％と、Ｐｄ：２〜６重量％と、Ｂｅ−Ｃｕ：２０〜５０重量％と、Ｃｕ：１０〜４５重量％の組成であることを特徴としている。
【特許文献１】特開昭６２−２０８５０号公報
【特許文献２】特開昭６３−１４８３０号公報
【特許文献３】特開２０００−１９９０２０号公報
【特許文献４】特開２０００−８７１５７号公報
【発明の開示】
【発明が解決しようとする課題】
【０００８】
装飾用品特に装身具用合金に要求されるのは、第１に、美麗さと優れた審美性で、第２は耐食性、耐変色性が高度であること、第３に易加工性と強度の具備、第４に製造コストの低廉化であるが、近年は、第５の要求として、人体に無害であると共に、健康志向型の装身具用合金の出現が切望されている。
【０００９】
しかしながら、上記特許文献１〜特許文献４は、いずれも銀を主材料とした銀合金で、多種類の他金属を付加して製造されるので、美麗さと審美性等に満足する合金を得ることが可能であるとしても、各金属の特質、特性により、その配分率が微妙であり、そのため物質的に不安定となり、また銀そのものはもちろん、他の金属例えば金、銅、パラジウム、インジウム、チタン又はボロン等高価な素材を付加して製造されるので、その製造コストはかなりの高額となり、これらの合金で製作される装身具等の販売価格は高騰し、在庫率を高める結果となっている。
【００１０】
さらに特許文献３及び特許文献４は、装身具用銀合金等に要求される第１ないし第４の要求である、美麗さ、審美性、耐食性、耐変色性、易加工性、製造コスト等を少なくとも充たしてはいるが、両者共に、第５の要求である、健康志向型の装身具用合金となってはいない。
【００１１】
本発明が解決しようとする課題は、装身具用合金として要求される、第１ないし第５の要求を充足するために、白色系である錫を主な素材とし、銀白色の光沢と美麗さを具備したアクセサリー機能と共に、遠赤外線による健康増進効果、治療、治癒機能を備えた、装身具用錫合金及びこれを用いた装身具を提供することにある。
【課題を解決するための手段】
【００１２】
本発明における、上記課題を解決するための第１の解決手段は、錫を主成分とし、ゲル
マニウム、亜鉛及び銀の合金からなる、装身具用錫合金であって、錫の配分比を、全体重量の少なくとも７７重量％〜９９．９５重量％、好ましくは９３重量％とし、残部の配分比をゲルマニウム、亜鉛及び銀で配分されることを特徴としている。
【００１３】
また、第２の課題解決手段は、前記ゲルマニウムの配分比率が、全体重量の少なくとも０．０５％〜１０重量％、好ましくは０．５重量％であることを特徴としている。
【００１４】
また、第３の課題解決手段は、第１の解決手段及び第２の解決手段にあって、前記亜鉛の配分比率が、全体重量の少なくとも０．１重量％〜３重量％、好ましくは１．５重量％であることを特徴としている。
【００１５】
また、第４の課題解決手段は、第１の解決手段ないし第３の解決手段にあって、前記銀の配分比率が、全体重量の少なくとも０．１重量％〜１０重量％、好ましくは５重量％であることを特徴としている。
【００１６】
また、第５の課題解決手段は、錫を主成分とし、ゲルマニウム及び亜鉛の合金からなる、装身具用錫合金であって、錫の配分比を、全体重量の少なくとも７０重量％〜９９．９５重量％、好ましくは９８重量％とし、残部の配分比をゲルマニウム及び亜鉛で配分されることを特徴としている。
【００１７】
また、第６の課題解決手段は、第５の解決手段にあって、前記ゲルマニウムの配分比率が、全体重量の少なくとも０．０５％〜１０重量％、好ましくは０．５重量％であることを特徴としている。
【００１８】
また、第７の課題解決手段は、第５の解決手段ないし第６の解決手段にあって、前記亜鉛の配分比率が、全体重量の少なくとも０．１重量％〜３重量％、好ましくは１．５重量％であることを特徴としている。
【００１９】
また、第８の課題解決手段は、錫を主成分とした、ゲルマニウムとの合金からなる、装身具用錫合金であって、錫の配分比を、全体重量の少なくとも７０重量％〜９９．９５重量％、好ましくは９９．５重量％とし、残部の配分比をゲルマニウムとしたことを特徴としている。
【００２０】
また、第９の課題解決手段は、第８の解決手段にあって、前記ゲルマニウムの配分比率は、全体重量の少なくとも０．０５％〜１０重量％、好ましくは０．５重量％であることを特徴としている。
【００２１】
また、第10の課題解決手段は、第１の解決手段ないし第9の解決手段にあって、前記
ゲルマニウムは、錫、亜鉛及び銀と共に溶解することを特徴としている。
【００２２】
また、第1１の課題解決手段は、第１の解決手段ないし第１０の解決手段にあって、前記装身具が、人体の各部位に直接又は間接的に、常時又は一時的に装着する、イヤリング、ピアス、ネックレス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン、カフスボタン等の装身具及びつぼ押し兼用装身具であることを特徴としている。
【００２３】
また、第1２の課題解決手段は、第１１の解決手段にあって、前記装身具及びつぼ押し兼用装身具の一部に９９．９９９％のゲルマニウムが装着されるとと共に、装身具及びつぼ押し兼用装身具の一部又は全体表面部が、硬質樹脂体で被覆されていることを特徴としている。
【００２４】
また、第1３の課題解決手段は、第１１ないし第1２の解決手段にあって、前記硬質樹脂体が、エポキシ樹脂であることを特徴としている。
【００２５】
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
装身具とは、人体の各部位又は衣服等に直接又は間接的に、常時又は一時的に装着するアクセサリー及び人体のつぼ（経穴）又はその近傍に装着される粒状物をいう。
つぼ（経穴）とは、東洋医学上の用語で、人間の生命エネルギーの通り道といわれる、経路の上にある要点で、内蔵諸器官と密接に関連し、内蔵に異常が生じたとき、その場所に強い反応が現れるとされ、つぼ（経穴）は、頭部から足の先まで全身に存在し、例えば、頭頂部には、「百会」、へその真裏には生命力の要である「命門」、手の甲には「合谷」等全身に３６０以上（東洋医学上の公認分）、学者によっては約２０００のつぼ（経穴）が点在するといわれ、関連するつぼ（経穴）を押圧等の刺激を与えれば、不調部分が改善されると共に、治療、治癒効果をもたらすとされている。
＊＊＊＊＊＊＊＊＊＊＊＊＊＊＊＊＊＊＊＊＊＊＊＊＊＊＊＊＊＊＊＊＊＊＊＊＊＊＊＊
【発明の効果】
【００２６】
本発明に係る、装身具用錫合金は、上記の構成になるから以下の効果を奏する。即ち、第１ないし第１０の発明によれば、主材料が、錫からなるので、装飾用品ないし装身具用合金に要求される、銀白色系の美麗さと優れた審美性を有すると共に、耐食性、耐変色性を高め、かつ展延性、易加工性、強度及び靱性を具備し、製造コストをきわめて低価とし、併せて配分率は少量ではあるが、半導体元素で微弱な放射線（遠赤外線）を放射するゲルマニウムを使用するので、その遠赤外線による健康増進効果、治療、治癒機
能を備えた、装身具用錫合金を提供することができる。
【００２７】
また第１１の発明によれば、ゲルマニウムが錫、亜鉛及び銀と共に固溶された装身具用合金で製作された、イヤリング、ピアス、ネックレス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン及びカフスボタン等及びつぼ押し具を装着すれば、ゲルマニウムの特性である３２℃以上の体温を発する人体の各部位に接触すると、マイナスイオンである遠赤外線が放射され、その電子浸透圧の働きにより、該遠赤外線は皮下組織の毛細血管まで達し、そのゲルマニウムイオンは、血管に浸透し、血管壁に付着したコレストール等を分解、除去する。そのため血行が促進され、細胞が活性化し、バランスを崩した筋肉細胞は素早く正常に整えられ、自然治癒力を高め、老化防止に役立つ等々の効果が発揮される。
【００２８】
また第1２及び第１３の発明によれば、前記装身具及びつぼ押し兼用装身具の一部に９９．９９９％のゲルマニウムが装着され、かつ装身具及びつぼ押し兼用装身具の一部又は全体表面部が、硬質樹脂であるエポキシ樹脂液で被覆されているので、アクセサリー機能と興趣をさらに高めると共に、ゲルマニウムが有する、遠赤外線効果に基づく、健康増進あるいは治療・治癒効果、例えば、具体的には内蔵の諸器官をコントロールしている自律神経の働きが整調され、血流やホルモンの分泌がスムーズになり、これによって現代人の多くが悩んでいる、ストレスや頭痛、肩こり、痛み、心身の不快感等の不定愁訴を和らげると共に、ダイエット効果をもたらす。
【発明を実施するための最良の形態】
【００２９】
本発明に係る装身具用錫合金は、錫を主成分とし、ゲルマニウム、亜鉛及び銀の４金属からなる、装身具用錫合金であって、錫の配分比を、全体重量の少なくとも７０重量％〜９９．９５重量％、好ましくは８０重量％とし、残部の配分比をゲルマニウム、亜鉛及び銀で配分される。
【００３０】
本願発明者は、各種の実験等を重ねた結果、装身具用錫合金及びこれを用いた装身具に要求される、美麗さ、審美性、耐食性、耐変色性、易加工性、低廉な製造コスト及び健康
志向性等を充足させる装身具として、上記の配分比で最も好ましいのは、全体重量において、錫は９３重量％、ゲルマニウムは０．５重量％、亜鉛は１．５重量％、銀は５重量％であることを知見し、この発明を完成した。
【実施例１】
【００３１】
公知技術による錫合金製造法、例えば溶融窯に下記の各金属を所定の配合比率即ち、
錫：９３重量％
ゲルマニウム：０．５重量％
亜鉛：１．５重量％
銀−５重量％
を混練した後、徐々に加熱していき、融点が最も高いゲルマニウム及び銀の融解温度である、約９００℃〜９５０℃で加熱溶解し、この溶解液を鋳型に注湯して冷却することにより、錫を主成分とした、ゲルマニウム、亜鉛及び銀からなる、装身具用錫合金が得られた。
乾燥後の錫合金の色合いは、銀合金と略同色の白色系で、表面部を研磨すると鮮やかな光沢を発した。
【実施例２】
【００３２】
公知技術による錫合金製造法、例えば溶融窯に下記の各金属を所定の配合比率即ち、
錫：９７重量％
ゲルマニウム：１重量％
亜鉛：２重量％
を混練した後、徐々に加熱していき、融点が最も高いゲルマニウムの融解温度である、約９００℃〜９５０℃で加熱溶解し、この溶解液を鋳型に注湯して冷却することにより、錫を主成分とした、ゲルマニウム、亜鉛からなる、装身具用錫合金が得られた。乾燥後の錫合金の色合いは、やや青みがかった白色系で、加工性も良好であった。
【実施例３】
【００３３】
公知技術による錫合金製造法、例えば溶融窯に下記の各金属を所定の配合比率即ち、
錫：７７重量％
ゲルマニウム：１０重量％
亜鉛：３重量％
銀：１０重量％
を混練した後、徐々に加熱していき、融点が最も高いゲルマニウム及び銀の融解温度である、約９００℃〜９５０℃で加熱溶解し、この溶解液を鋳型に注湯して冷却することにより、錫を主成分とした、ゲルマニウム、亜鉛及び銀からなる、装身具用錫合金が得られた。
乾燥後の錫合金の色合いは、銀合金と略同色の白色系で、表面部を研磨すると鮮やかな光沢を発した。
【実施例４】
【００３４】
公知技術による錫合金製造法、例えば溶融窯に下記の各金属を所定の配合比率即ち、
錫：９９．５重量％
ゲルマニウム：０．５重量％
を混練した後、徐々に加熱していき、融点が高いゲルマニウムの融解温度である、約９００℃〜９５０℃で加熱溶解し、この溶解液を鋳型に注湯して冷却することにより、錫を主成分とした、ゲルマニウム含有の装身具用錫合金が得られた。乾燥後の錫合金の色合いは、やや青みがかった白色系で、加工性も良好であった。
【００３５】
上述した、実施例１〜実施例４によって製造された装身具用錫合金は、インゴットの他、
箔、板、線、棒、パイプ等の各種形態とされ、製作される装身具によって最適の素材が選択される。
【００３６】
図１以下は、本発明に係る、装身具用錫合金を用いた装身具の一例である、ブレスレットの一部省略正面図、図２は、図１におけるＡ部拡大正面図、図３（イ）、（ロ）、（ハ）、（ニ）は、図２に示す各装飾珠を鋳型から取り出した状態の正面図、図４は、図３（イ）に示す装飾珠の一部切欠断面図、図５は、図３（ニ）に示す装飾珠の一部切欠断面図、図６は、装身具を兼ねた、つぼ（経穴）押具の断面図である。
【００３７】
図１は、本発明に係る、装身具用錫合金（以下、錫合金Ｓという）を基材として製作された装飾珠を、複数個連結してなるブレスレットＢを例示するもので、該ブレスレットＢは、表面模様が異なる、直径約７ｍｍ〜８ｍｍとした複数の略球体状の装飾珠１、２、３、４、…及び興趣ある特殊装飾体、例えば表面に縞模様が浮き出ている、長径約１５ｍｍ〜１６ｍｍとしたラグビーボール状の瑪瑙（メノウ）Ｍと、上記の装飾珠１、２、３、４、…及び瑪瑙を数珠状に一体化する紐体１００からなっている。また瑪瑙（メノウ）Ｍに替えて、購買意欲と興趣を高めるために、真珠、オパール、トパーズ、ガーネット、アメジスト、アクアマリン、翡翠、ルビー、サファイア、トルコ石又はダイヤモンド等の誕生石が連結される。また装飾珠１、２、３、４、…の数を増減し、例示したブレスレットＢの他、ネックレス又はアンクレットとすることも可能である。なおＣは、マグネット付きの着脱具である。
【００３８】
装飾珠１、２、３、４、…は、従来の公知技術、例えばダイキャスト法によって製造することができる。すなわち、装飾珠１、２、３、４、…の基材となる錫合金Ｓを溶解し、これに高圧を付加して鋳型に注入して略球体状に成形し、冷却させた後、該球体の略全表面と予め凹設された溝部にエポキシ樹脂液を塗布、充填して被覆層を形成してなるもので、図２に示すように、装飾珠１、２、３、４…のそれぞれ球体表面部には、異なった蛇行状曲線１ａ、１ｂ、２ａ、円形模様３ａ、３ｂ又は蛇行状曲線４ａとゲルマニウム（白色体）Ｇが鮮やかに現出される。
【００３９】
図３（イ）〜（ニ）は、ダイキャスト法で製造され、鋳型から取り出した状態の各装飾珠１、２、３、４を例示するもので、図３（イ）に示すように、装飾珠１の周面には２本の蛇行状曲線１ａと１ｂが突設され、両側端には連結部１ｃ、１ｄと、紐体１００を挿通する、貫通孔１ｈが形成されている。図３（ロ）は、装飾珠２を示し、その周面には１本の蛇行状曲線２ａが突設され、両側端には連結部２ｂ、２ｃと、紐体１００を挿通する、貫通孔２ｈが形成されている。図３（ハ）は、装飾珠３を示し、その周面には複数の円形模様３ａ、３ｂが突設され、両側端には連結部３ｃ、３ｄと、紐体１００を挿通する、貫通孔３ｈが形成されている。図３（ニ）は、装飾珠４を示し、その周面には１本の蛇行状曲線４ａが突設されると共に、円形状の凹部４ｂが形成され、該凹部４ｂには９９．９９９％のゲルマニウムＧが接着剤を介して嵌合、装着される（図２参照）。４ｃ、４ｄは連
結部、４ｈ紐体１００を挿通する貫通孔である。
【００４０】
図３（イ）〜（ニ）に示す２点鎖線と斜線部は、エポキシ樹脂５を示し、例えば図３（イ）の蛇行状曲線１ａと１ｂ間に形成された溝部５ａ及び連結部１ｃ、１ｄのそれぞれに形成された溝部５ｂ、５ｃと、蛇行状曲線１ａと１ｂを含む装飾珠１の全周面が、エポキシ樹脂５により被覆される。同様に装飾珠２、３、４もその全周面をエポキシ樹脂５により被覆される。なお、エポキシ樹脂５による被覆作業は、各貫通孔１ｈ〜４ｈを、密封栓等により閉塞して行われる。
【００４１】
エポキシ樹脂は、装身具として使用したとき、汗等によってほとんど影響を受けないことや、強度、耐久性等においても他の樹脂塗料に比較して良好な特性を発揮するので、装身具として好適である。また硬質塗膜を形成するエポキシ樹脂系塗料の１例としては、顔料ないし可溶性染料を混入した着色用ペースト（アラルダイト：登録商標−日本チバガイギー社）が挙げられる。また上記顔料ないし可溶性染料を選択することにより、黒、赤、青、緑、黄その他の色彩とすることができ、銀合金Ｓの白色が鮮やかに映え、興趣のある装身具とすることができる。
【００４２】
エポキシ樹脂５による被覆作業が終了し、乾燥工程を経た後、各装飾珠１、２、３、４、…は、研磨機による研磨作業が行われ、図２、図４及び図５に示すように製作される。図４は、装飾珠１の一部切欠断面図で、エポキシ樹脂５の被覆部は、蛇行状曲線１ａと１ｂと略面一になるよう研磨されると、該蛇行状曲線１ａと１ｂは、鮮やかな光沢を放つ銀白色を呈する。
【００４３】
図５は、研磨作業を終了した装飾珠４を示し、錫合金Ｓの周面には１本の蛇行状曲線４ａが現出し、錫合金Ｓの頂部に形成された凹部４ｂには、ゲルマニウム９９．９９９％の白色体Ｇが接着剤（図示しない）を介して装着されている。また装飾珠２及び装飾珠３も研磨作業を経た後には、図２に示すように、光沢を有する銀白色系の１本の蛇行状曲線２ａや円形模様３ａ、３ｂが現出する。
【００４４】
図６は、銀合金Ｓを粒子状とした、つぼ（経穴）押具６を示すもので、直径約１ｍｍ〜１．５ｍｍの球状錫合金Ｓの頂部Ｓａを水平状に裁断し、貼付用シート７の接着剤塗布面７ａを錫合金Ｓの頂部Ｓａに装着してなり、錫合金Ｓの底面部Ｓｂないし側面部Ｓｃを、身体の頭部から足先まで多数に散在する各部位のつぼ（経穴）に、圧着しながら貼付用シート７を介して固定して使用する。
【図面の簡単な説明】
【００４５】
【図１】は、本発明に係る、装身具用錫合金を用いた装身具の一例である、ブレスレットの一部省略正面図である。
【図２】は、図１におけるＡ部拡大正面図である。
【図３】（イ）、（ロ）、（ハ）、（ニ）は、図２に示す各装飾珠を鋳型から取り出した状態の正面図である。
【図４】は、図３（イ）に示す装飾珠の一部切欠断面図である。
【図５】は、図３（ニ）に示す装飾珠の一部切欠断面図である。
【図６】は、つぼ（経穴）押具の断面図である。
【符号の説明】
【００４６】
Ｓ                      錫合金
Ｂ                      ブレスレット
Ｍ                      瑪瑙
Ｃ                      着脱具
Ｇ                      ゲルマニウム（白色体）
１、２、３、４、…      装飾珠
１ａ、１ｂ、２ａ、４ａ  蛇行状曲線
３ａ、３ｂ              円形模様
４ｂ                    凹部
５                      エポキシ樹脂
５ａ、５ｂ              溝部
６                      つぼ（経穴）押具
【図１】
2007159771.tif 000002
【図２】
2007159771.tif 000003
【図３】
2007159771.tif 000004
【図４】
2007159771.tif 000005
【図５】
2007159771.tif 000006
【図６】
2007159771.tif 000007